(57)【要約】【課題】配置スペースを考慮にいれながら、行き先階登録をさらに簡単に行える操作部を設けたエレベータの呼び登録装置を提供する。【解決手段】エレベータの乗り場での乗り場呼び登録と行き先階呼び登録、およびカゴ内からのカゴ呼び登録を行うエレベータの呼び登録装置において、少なくとも上記行き先階呼び登録又はカゴ呼び登録を行うための行き先階呼び登録スイッチ２０を、スイッチ表面に垂直に延びるシャフト２０ａをこれの周囲の所定の方向に傾けることにより、傾けた方向に従ってこれの複数のスイッチが切替えられるマルチウェイスイッチで構成した。【選択図】図１
2005187102.tif 000002
【特許請求の範囲】
【請求項１】
エレベータの乗り場での乗り場呼び登録と行き先階呼び登録、およびカゴ内からのカゴ呼び登録を行うエレベータの呼び登録装置において、少なくとも上記行き先階呼び登録又はカゴ呼び登録を行うための行き先階呼び登録スイッチを、スイッチ表面に垂直に延びるシャフトをこれの周囲の所定の方向に傾けることにより、傾けた方向に従ってこれの複数のスイッチが切替えられるマルチウェイスイッチで構成したことを特徴とするエレベータの呼び登録装置。
【請求項２】
上記行き先階呼び登録スイッチのシャフトの周りのスイッチ表面上にある各階床の表示毎に行き先階呼び登録に対する登録応答ランプをそれぞれに設けたことを特徴とする請求項１に記載のエレベータの呼び登録装置。
【請求項３】
エレベータの乗り場での乗り場呼び登録と行き先階呼び登録を行う乗り場操作盤、およびカゴ内からのカゴ呼び登録を行うカゴ内操作盤とを備え、上記行き先階呼び登録スイッチを搭載した行き先階呼び登録スイッチ盤を補助操作盤として少なくとも１つを乗り場およびカゴ内の少なくとも一方に備えたことを特徴とする請求項１又は２に記載のエレベータの呼び登録装置。
【請求項４】
複数の上記行き先階呼び登録スイッチを設けた行き先階呼び登録スイッチ部を１つの操作部とし、より階床数の多いエレベータに対応するようにしたことを特徴とする請求項１ないし３のいずれか１項に記載のエレベータの呼び登録装置。
【請求項５】
上記マルチウェイスイッチのスイッチに直列に接続されこれが閉じることによりオンするカゴの昇降方向の呼び用の第１のリレーと、上記マルチウェイスイッチのスイッチに直列に接続されこれが閉じることによりオンする第２のリレーの第１のＡ接点、およびカゴが所定階に到着した時に開く第１のＢ接点に直列に接続されこれが開くことによりオフする第３のリレーの第２のＢ接点の直列回路に直列に接続された行き先階呼び登録のための登録用の第４のリレーと、上記第２のリレーの第２のＡ接点に直列に接続された登録応答ランプと、を含むリレー制御回路をさらに備えたことを特徴とする請求項２に記載のエレベータの呼び登録装置。
【発明の詳細な説明】
【技術分野】
【０００１】
この発明はエレベータの呼び登録装置、特にカゴ内や乗り場に設けられた操作盤に設けられた操作部に関する。
【背景技術】
【０００２】
従来、エレベータの呼び登録装置の操作部において、階(階床)数分の押し釦が並べて配置された行き先階を登録する釦群を、行き先階の多いエレベータのために、これの配置スペース等を考慮してダイヤル式にし、カゴ内や乗り場に設けたものがあった(例えば特許文献１参照)。
【０００３】
【特許文献１】特開２００１−１６３５３６号公報
【発明の開示】
【発明が解決しようとする課題】
【０００４】
しかしながらダイヤル式の操作部の場合、乗客はダイヤルを回して行き先階に合わせる操作が必要であり、迅速さに欠け、混雑時等には不適当であった。
【０００５】
この発明は、配置スペースを考慮にいれながら、行き先階登録をさらに簡単に行える操作部を設けたエレベータの呼び登録装置を提供することを目的とする。
【課題を解決するための手段】
【０００６】
この発明は、エレベータの乗り場での乗り場呼び登録と行き先階呼び登録、およびカゴ内からのカゴ呼び登録を行うエレベータの呼び登録装置において、少なくとも上記行き先階呼び登録又はカゴ呼び登録を行うための行き先階呼び登録スイッチを、スイッチ表面に垂直に延びるシャフトをこれの周囲の所定の方向に傾けることにより、傾けた方向に従ってこれの複数のスイッチが切替えられるマルチウェイスイッチで構成したことを特徴とするエレベータの呼び登録装置にある。
【発明の効果】
【０００７】
この発明では、マルチウェイスイッチで構成した行き先階呼び登録スイッチにより、配置スペースを考慮にいれながら、行き先階登録をより簡単に行える。
【発明を実施するための最良の形態】
【０００８】
実施の形態１．
図１の(ａ)はこの発明の一実施の形態によるエレベータの呼び登録装置の操作部としての乗り場操作盤の構成の一例を示す。以下では一例として１階の乗り場に設置された乗り場操作盤を例に挙げて図に従って説明を行う。また、乗り場でのカゴの呼びおよび行き先階の指定をそれぞれ乗り場呼び登録、行き先階呼び登録、カゴでの行き先階の登録をカゴ呼び登録とする。乗り場操作盤１６には、行き先階呼び登録スイッチ２０、乗り場呼び登録釦２１(最上階と最下階以外は上昇、下降方向用の２つ)、カゴ位置表示部２２が設けられている。行き先階呼び登録スイッチ２０は図２の(ａ)に示すマルチウェイスイッチで構成され、このマルチウェイスイッチはスイッチ表面すなわち図面の紙面に垂直に手前側に延びるシャフト２０ａを図２の(ｂ)に示すような周囲の例えば８方向の角度のいずれかの方向に傾けることにより、傾けた方向に従ってこれの複数の入出力端子の端子間(特に図示せず)に構成される複数の接点すなわちスイッチの予め定められたスイッチがＯＮ(閉)状態になる。図２の(ｂ)の最下段のＰＵＳＨはシャフト２０ａを紙面に垂直の方向に押し込んだ操作による接点のＯＮ状態を示す。またこの発明の行き先階呼び登録スイッチ２０では、図１の(ｂ)の拡大図に示すように、行き先階呼び登録に対する登録応答ランプ１５９、１６１、１６３・・・がシャフト２０ａの周りのスイッチ表面の各階床の表示毎に取り付けられている。
【０００９】
図３〜５にはこの発明によるエレベータの呼び登録装置の制御回路をリレー制御回路で構成した場合の、行き先階呼び登録回路、カゴ呼び登録回路および呼び登録応答ランプ点灯回路をそれぞれ示す。回路の構成を簡単に説明すると、図４のＢ接点１Ｓ(１１３)、２Ｓ(１２１)、３Ｓ(１２９)、４Ｓ(１３７)は、エレベータのカゴが１階〜４階にそれぞれ到着するのを検出すると開くカゴ位置スイッチである(４階分のみ図示)。図３のタイマーリレーＴ１Ｓ(１０６)は、Ｂ接点１Ｓ(１１３)と同様のカゴ位置スイッチである駆動用のＢ接点１Ｓ(１０５)が開放されてから５秒後にオフするタイマーリレーである。
【００１０】
１階の乗り場の乗り場操作盤１６にある行き先階呼び登録スイッチ２０の８方向スイッチは、スイッチ２ＣＦＢ(９０)、３ＣＦＢ(９５)、４ＣＦＢ(１００)である(３個分のみ表示)。行き先階呼び登録スイッチ２０はシャフト２０ａを行きたい目的階の表示の方向に倒して行き先階を登録する。カゴ呼び登録釦１ＣＢ(１１０)、２ＣＢ(１１４)、３ＣＢ(１２２)、４ＣＢ(１３０)はカゴ内のカゴ内操作盤(図７の(ａ)の２３参照)に設けられたカゴ内で行き先階を登録する釦であり、リレー１Ｃ(１１２)、２Ｃ(１２０)、３Ｃ(１２８)、４Ｃ(１３６)は登録用リレーである。また乗り場呼び登録釦１ＵＢ(２１)は１階の乗り場の乗り場操作盤１６にある１階乗り場の乗り場呼びのための釦であり、リレー１Ｕ(１４１)は１階の上昇方向呼び(カゴの昇降方向の呼び用)のためのリレーである。カゴ内のカゴ内操作盤に設けられる登録応答ランプはランプ１ＣＬ(１５１)〜４ＣＬ(１５７)、１階の乗り場操作盤１６の行き先階呼び登録スイッチ２０用の登録応答ランプはランプ２ＣＦＬ(１５９)〜４ＣＦＬ(１６３)である。
【００１１】
すなわち、マルチウェイスイッチのスイッチ(９０，９５，１００)に直列に接続されこれが閉じることによりオンするカゴの昇降方向の呼び用のリレー(１４１)と、マルチウェイスイッチのスイッチに直列に接続されこれが閉じることによりオンするリレー(９２，９７，１０２)のＡ接点(１１６，１２４，１３２)およびカゴが所定階に到着した時に開くＢ接点(１０５)に直列に接続されこれが開くことによりオフするリレー(１０７)のＢ接点(１１８，１２６，１３４)の直列回路に直列に接続された行き先階呼び登録のための登録用のリレー(１１２，１２０，１２８，１３６)と、マルチウェイスイッチのスイッチに直列に接続されこれが閉じることによりオンするリレー(９２，９７，１０２)のＡ接点(１５８，１６０，１６２)に直列に接続された登録応答ランプ(１５８，１６０，１６２)と、を含む。
【００１２】
次に動作について説明する。カゴか上層階で停止している場合に、１階のエレベータ乗り場で、行き先階呼び登録スイッチ２０による２階への行き先階呼び登録を、乗客がシャフト２０ａを２階の表示の方向に傾けることにより行うと、行き先階呼び登録スイッチ２０の２階への行き先階呼びに応答するスイッチである図３のスイッチ２ＣＦＢ(９０)が閉じ、＊１(９４)から＊１(１４０)により１階の上昇方向呼び用のリレー１Ｕ(１４１)がオンし、その接点１Ｕ(１３９)で自己保持される。また乗客により１階の乗り場呼び登録釦２１が押されればこれが閉じる。これにより、１階での上昇方向呼びの登録ができたことにより上層階のエレベータは、下降方向に走行する。なお、乗り場呼び登録釦２１はこの実施の形態の回路の場合いはなくてもよく、操作盤における省スペースを考慮するとない方が効果的である。
【００１３】
また、スイッチ２ＣＦＢ(９０)が閉じたことによりリレー２ＣＦ(９２)がオンし、これの接点２ＣＦ(９１)が閉じることにより自己保持される。また、リレー２ＣＦ(９２)の図５の接点２ＣＦ(１５８)も閉じることにより、１階のエレベータ乗り場の行き先階呼び登録スイッチ２０の登録応答ランプ２ＣＦＬ(１５９)が点灯する。
【００１４】
カゴが１階に到着すると、図３、図４の１階のカゴ位置スイッチであるＢ接点１Ｓ(１０５)、１Ｓ(１１３)が開放される。これにより、図３のリレー１ＳＳ(１０７)がオフし、タイマーリレーＴ１Ｓ(１０６)は５秒後にオフする。１階にカゴが到着しても、リレーＴ１Ｓ(１０６)の接点Ｔ１Ｓ(９３)によりリレー２ＣＦ(９２)は５秒間保持されているので、図４の接点２ＣＦ(１１６)とリレー１ＳＳ(１０７)のＢ接点１ＳＳ(１１８)が閉じた状態にあることによりリレー２Ｃ(１２０)がオンされ、かつこれの接点２Ｃ(１１５)にて自己保持され、２階へのカゴ呼びの登録(すなわち行き先階呼び登録)が形成される。また、リレー２Ｃ(１２０)の図５の接点２Ｃ(１５２)が閉じることにより、カゴ内の２階の登録応答ランプ２ＣＬ(１５３)が点灯する。
【００１５】
カゴが１階に到着し、扉を開いて、タイマーリレーＴ１Ｓ(１０６)の遅延時間の５秒が満了すると、これの接点Ｔ１Ｓ(９３，９８，１０３)が開くためリレー２ＣＦ(９２)はオフする。この一連の動作により、１階乗り場の行き先階呼び登録スイッチ２０のシャフト２０ａを２階の方向に傾けるだけで(さらに乗り場呼び登録釦２１を押すようにしてもより)、１階の上昇方向呼びの登録が行われ、１階に向かってカゴが走行し、１階に到着し扉が開き、カゴに乗客が乗り込む時点では、２階の行き先階呼び登録がなされているようになる。
【００１６】
カゴが１階に停止している場合には、１階のエレベータ乗り場で、行き先階呼び登録スイッチ２０の２階用の呼び登録を、シャフト２０ａを２階の表示の方向に傾けることで、スイッチ２ＣＦＢ(９０)が閉じ、＊１(９４)から＊１(１４０)により１階の上昇方向呼び用のリレー１Ｕ(１４１)がオンし、その接点１Ｕ(１３９)で自己保持される。また乗客により１階の乗り場呼び登録釦２１が押されればこれが閉じる。これにより上昇方向リレー(図示せず)がオンし、上昇方向(ＵＰ)の呼びができて、１階の扉か開く。更に、＊１(９４)から＊１(１１７)にて、上昇方向リレーの接点(１１９)が閉じることにより、２階のカゴ呼びのリレー２Ｃ(１２０)がオンする。これにより、２階へのカゴ呼びの登録が形成され、リレー２Ｃ(１２０)の図５の接点２Ｃ(１５２)が閉じることにより、カゴ内の２階の登録応答ランプ２ＣＬ(１５３)が点灯する。
【００１７】
この動作により、１階乗場の行き先階呼び登録スイッチ２０のシャフト２０ａを２階の方向に傾けるだけで(乗り場呼び登録釦２１を押すようにしてもより)、１階の上昇方向呼びの登録が行われ、扉が開いた時に乗り込むと、同時に２階のカゴ呼びか登録されている。
【００１８】
なお、上記説明では説明し易いように制御回路をリレー回路で説明したが、この発明による行き先階呼び登録スイッチは、例えばコンピュータ制御のエレベータにも適用可能である。コンピュータ制御のエレベータでは、制御回路は自由に組み込めるため、例えば再度、行き先階呼び登録スイッチ２０のシャフト２０ａを傾けると一度登録された行き先階呼びをキャンセルさせるようにも構成できる。また、複数の行き先階呼び登録スイッチ２０で行き先階呼び登録スイッチ部を構成することで、８階以上のエレベータにも適用できる。
【００１９】
また、乗り場呼び登録釦２１の操作を、行き先階呼び登録スイッチ２０のシャフト２０ａを押し込む操作に置き換えることにより、乗り場呼び登録釦２１を省略できる。
【００２０】
さらに、乗り場と同様にカゴ内操作盤(図７の(ａ)の２３参照)を、少なくとも上記行き先階呼び登録スイッチ２０とカゴ位置表示部２２からなるカゴ内操作盤(図１の(ａ)の乗り場呼び登録釦２１がない構成)としてもよい。この場合、行き先階呼び登録スイッチ２０で上記と同様にしてカゴ内での行き先階呼び登録、すなわちカゴ呼び登録を行う。
【００２１】
このように行き先階呼び登録スイッチをマルチウェイスイッチで構成することにより、操作盤における行き先階呼び登録スイッチの省スペース化が実現でき、またカゴの方向呼びと行き先階呼びを１度で登録でき、なおかつ特に、マルチウェイスイッチのシャフトを行き先階の方向に傾けるだけで２つの登録が行えるため、操作が極めて簡単なものとなる。さらに行き先階呼び登録スイッチ上の各行き先階表示に登録応答ランプをそれぞれ設けたので行き先階の登録状態も確認できる。これらの登録応答ランプはＬＥＤ等で構成すれば省電力、省スペース化に有効である。
【００２２】
実施の形態２．
また乗り場において、図６の(ａ)に示すようにエレベータ乗り場１２の図１に示した乗り場操作盤１６が主操作盤として配置されたのと反対側に、上記行き先階呼び登録スイッチ２０と同一構造の行き先階呼び登録スイッチ２０を設けた図６の(ｂ)に示すような行き先階呼び登録スイッチ盤１７を補助操作盤として設置することにより、混雑した乗り場でも、乗客は余裕を持って行き先階を登録することができる。
【００２３】
実施の形態３．
またエレベータカゴ内において、図７の(ａ)および(ｂ)に示すように、エレベータカゴ２４内の階(階床)数分の押し釦が並べて配置された既存の構造、あるいは上述したこの発明による行き先階呼び登録スイッチ２０を使用したものと同様な構成の主操作盤カゴ内操作盤２３とは別に上記図６の(ｂ)に示す構造の１つあるいは複数の行き先階呼び登録スイッチ盤１７を、出入り口のカゴ内操作盤２３と反対側あるいはカゴ内側壁に補助操作盤として設置することにより、混雑したカゴ内でも、各所に設置されている行き先階呼び登録スイッチ盤１７により、カゴ呼びを登録できることなり、利便性が向上する
【図面の簡単な説明】
【００２４】
【図１】この発明の一実施の形態によるエレベータの呼び登録装置の操作部としての乗り場操作盤の構成を示す図である。
【図２】この発明の一実施の形態で使用されるマルチウェイスイッチを説明するための図である。
【図３】この発明の一実施の形態によるエレベータの呼び登録装置の制御回路の構成を示す図である。
【図４】図３の回路に続く制御回路の構成を示す図である。
【図５】図３および図４の回路に続く制御回路の構成を示す図である。を示す図である。
【図６】この発明の別の実施の形態によるエレベータの呼び登録装置の操作部の構成を示す図である。
【図７】この発明のさらに別の実施の形態によるエレベータの呼び登録装置の操作部の構成を示す図である。
【符号の説明】
【００２５】
１２  エレベータ乗り場、１６  乗り場操作盤、１７  行き先階呼び登録スイッチ盤、２０  行き先階呼び登録スイッチ、２０ａ  シャフト、２１  乗り場呼び登録釦、２２  かご位置表示部、２３  かご内操作盤、２４  エレベータカゴ、９０，９５，１００  スイッチ、９１，９３，９６，９８，１０１，１０３，１１１，１１５，１１６，１１９，１２３，１２４，１２７，１３１，１３２，１３５，１３９．１５０，１５２，１５４，１５６，１５８，１６０，１６２  接点、９２，１０７  リレー、１０５，１１３，１１８，１２１，１２６，１２９，１３４，１３７  Ｂ接点、１０６  タイマーリレー、１１０，１１４，１２２，１３０  カゴ呼び登録釦、１１２，１２０，１２８，１３６  登録用リレー、１４１  呼び用のリレー、１５１，１５３，１５５，１５７，１５９，１６１，１６３  登録応答ランプ。
【図１】
2005187102.tif 000003
【図２】
2005187102.tif 000004
【図３】
2005187102.tif 000005
【図４】
2005187102.tif 000006
【図５】
2005187102.tif 000007
【図６】
2005187102.tif 000008
【図７】
2005187102.tif 000009